(57)【特許請求の範囲】
【請求項１】
局線に接続され、かつＦＡＸ及びボタン電話機が接続されたボタン電話装置であって、発呼者番号を検出する発呼者番号検出部と、ＣＮＧ検出対象となる発呼者番号を記憶する記憶部と、ＣＮＧを検出するＣＮＧ検出部と、着信時に前記発呼者番号検出部が検出した発呼者番号と一致する発呼者番号が前記記憶部にあるかを判定する判定手段と、前記判定手段が一致する発呼者番号があると判定し、かつ前記ＣＮＧ検出部がＣＮＧを検出したときに前記ＦＡＸに着信させ、前記判定手段が一致する発呼者番号がないと判定したときは前記ボタン電話機に着信させる制御手段とを備えてなるボタン電話装置。
【請求項２】
前記制御手段は、前記ＣＮＧ検出部がＣＮＧを検出できないと判断したときに前記ボタン電話機に着信させることを特徴とする請求項１記載のボタン電話装置。
【発明の詳細な説明】
【０００１】
【産業上の利用分野】
本発明はボタン電話装置に関するものである。
【０００２】
【従来の技術】
図５は従来におけるボタン電話装置の概略構成を示すブロック図である。
【０００３】
図５において、１は局線に接続されるボタン電話装置であり、このボタン電話装置１にはＦＡＸ２とボタン電話機３が接続されている。
【０００４】
ボタン電話装置１には、ＦＡＸ信号を検出するＣＮＧ検出部４とボタン電話装置１全体を制御する制御部５を備える。
【０００５】
上記のように構成されたボタン電話装置において、ボタン電話装置１に着信があった場合は、ＣＮＧ検出部４において特定時間内にＦＡＸ信号を検出できたか否かによりＦＡＸ２に着信させるか、またはボタン電話機３に着信させるかを判断していた。
【０００６】
【発明が解決しようとする課題】
しかしながら、上記従来のボタン電話装置においては、一般局線しかもたない発呼者からの着信においてもＣＮＧ検出をする時間を必要とし、その時間は発呼者側を待たせなくてはならなかった。
【０００７】
本発明は上記の問題点を解消するものであり、ボタン電話装置に着信があった際、特定の発呼者番号のみＣＮＧ検出を行い、ＦＡＸに着信させるか、またはボタン電話機に着信させるかを判断してＦＡＸまたはボタン電話機への着信を可能にしたボタン電話装置を提供することを目的とする。
【０００８】
【課題を解決するための手段】
本発明は上記目的を達成するために、局線に接続され、かつＦＡＸ及びボタン電話機が接続されたボタン電話装置であって、発呼者番号を検出する発呼者番号検出部と、ＣＮＧ検出対象となる発呼者番号を記憶する記憶部と、ＣＮＧを検出するＣＮＧ検出部と、着信時に前記発呼者番号検出部が検出した発呼者番号と一致する発呼者番号が前記記憶部にあるかを判定する判定手段と、前記判定手段が一致する発呼者番号があると判定し、かつ前記ＣＮＧ検出部がＣＮＧを検出したときに前記ＦＡＸに着信させ、前記判定手段が一致する発呼者番号がないと判定したときは前記ボタン電話機に着信させる制御手段とを備えてなるものである。
【０００９】
また、本発明は、前記制御手段は、前記ＣＮＧ検出部がＣＮＧを検出できないと判断したときに前記ボタン電話機に着信させることを特徴とする。
【００１０】
【作用】
従って、本発明によれば、外線からボタン電話装置に着信があった際、ＣＮＧ検出対象の発呼者番号のみＣＮＧ検出を行うことにより、一外線でＦＡＸと一般局線を兼用している発呼者からの着信をＦＡＸとボタン電話機に切り分けることができ、また、一般局線しか持たない発呼者からの着信時、ＣＮＧ検出を行わずボタン電話機に着信させることができるため発呼者を待たせる時間を短縮でき、より使用効率の優れたボタン電話装置を実現できる。
【００１１】
【実施例】
図１は、本発明の実施例におけるボタン電話装置の概略構成を示すブロック図である。
【００１２】
図１において、１１はボタン電話装置であり、このボタン電話装置１１にはＦＡＸ１２とボタン電話機１３が接続されている。
【００１３】
ボタン電話装置１１は、発呼者番号を検出する発呼者番号検出部１４と、一外線でＦＡＸと一般局線を兼用している外線、即ちＣＮＧ検出対象となる発呼者番号を記憶する記憶部１５と、ＣＮＧを検出するＣＮＧ検出部１６と、ボタン電話装置１全体を制御する制御部１７を備える。
【００１４】
さらに、上記制御部１７は、ボタン電話装置１に着信があったときに、発呼者番号検出部１４が検出した発呼者番号と一致する発呼者番号が記憶部１６にあるかを判定する判定機能と、一致する発呼者番号があると判定し、かつＣＮＧ検出部１５がＣＮＧを検出したときにＦＡＸ１２に着信させ、一致する発呼者番号がないと判定されたときはボタン電話機１３に着信させ、また、ＣＮＧ検出部１５がＣＮＧを検出できないと判定したときにボタン電話機１３に着信させる制御機能を備えている。
【００１５】
次に、実施例の動作について、図２及び図３を参照して説明する。
まず、ボタン電話装置１で着信処理する以前に、図２に示すように、外線から着信があった際にＣＮＧ検出を行うための発呼者番号を図示省略のキーを操作することにより入力する（ステップＳ２１）。入力されたＣＮＧ検出対象の発呼者番号は制御部１６により記憶部１５に記憶され登録される（ステップＳ２２）。
【００１６】
図４は記憶部１５への発呼者番号の登録例を示すもので、外線の着信があった際のＣＮＧ検出対象となる複数の発呼者番号＃１、＃２、…＃Ｎが記憶されている。
【００１７】
次に、図３によりボタン電話装置での着信処理について述べる。外線からボタン電話装置１１に着信があると（ステップＳ３１）、発呼者番号検出部１４が発呼者番号を検出する（ステップＳ３２）。制御部１７では、上記検出した発呼者番号と図２において登録した記憶部１５内の発呼者番号があるか検索し（ステップＳ３３）、一致する発呼者番号があるか否かを判定する（ステップＳ３３）。ここで一致する発呼者番号があると判定されたときはステップＳ３４に進み、ＣＮＧ検出部１４でＣＮＧを検出できたかを判定する。ＣＮＧが検出できたならばＦＡＸ２に着信させる（ステップＳ３５）。ＣＮＧが検出できない場合はステップＳ３６に進み、ボタン電話機３に着信させる。また、ステップＳ３３において一致する発呼者番号がないと判定された場合、即ち外線からの着呼が一般局線と判断されたときはステップＳ３７に進み、ボタン電話機３に着信させる。
【００１８】
このように、上記実施例によれば、外線からボタン電話装置に着信があった際、ＣＮＧ検出対策の発呼者番号に対してのみＣＮＧ検出を行うことにより、一外線でＦＡＸと一般局線を兼用している発呼者からの着信をＦＡＸとボタン電話機に切り分けることができ、また、一般局線しか持たない発呼者からの着信時は、ＣＮＧ検出を行わずにボタン電話機に着信させることができるため発呼者を待たせる時間を短縮できるという効果を有する。
【００１９】
【発明の効果】
本発明は上記実施例より明らかなように、局線に接続され、ＦＡＸとボタン電話機が接続されたボタン電話装置において、発呼者番号を検出する発呼者番号検出部とＣＮＧ検出対象の発呼者番号を記憶する記憶部を有し、外線からボタン電話装置に着信があったとき、ＣＮＧ検出対象の発呼者番号に対してのみＣＮＧ検出を行うことにより、一外線でＦＡＸと一般局線を兼用している発呼者からの着信をＦＡＸとボタン電話機に切り分けることができ、また、一般局線しか持たない発呼者からの着信時はＣＮＧ検出を行わずにボタン電話に着信させることができるため発呼者を待たせる時間を短縮でき、より使用効果の優れたボタン電話装置を実現することができる。
【図面の簡単な説明】
【図１】本発明の実施例におけるボタン電話装置の概略構成を示すブロック図
【図２】本発明の実施例におけるＣＮＧ検出対象の発呼者番号の登録処理を示す流れ図
【図３】本発明の実施例における着信処理の動作手順を示す流れ図
【図４】本発明の実施例における記憶部のＣＮＧ検出対象発呼者番号の記憶例を示す図
【図５】従来のボタン電話装置の概略構成を示すブロック図
【符号の説明】
１１  ボタン電話装置
１２  ＦＡＸ
１３  ボタン電話機
１４  発呼者番号検出部
１５  ＣＮＧ検出部
１６  記憶部
１７  制御部
【図１】
0003630793.tif 000002
【図２】
0003630793.tif 000003
【図３】
0003630793.tif 000004
【図４】
0003630793.tif 000005
【図５】
0003630793.tif 000006